(57)【要約】      （修正有）【課題】第１の筐体と第２の筐体を安定して開閉動作させる電子装置を提供する。【解決手段】開閉装置１０は、装置本体２に配設されたスタンドに回転可能に軸承されたベースプレート２０と、表示部３に配設されると共にベースプレート２０に移動可能に配設されている。第１の位置とベースプレート２０から突出する第２の位置との間で移動するスライドプレート３０と、スライドプレート３０をベースプレート２０に対して突出する方向に付勢するスプリングと、ベースプレート２０が閉位置にある時にカム部６０と係合ピン７０が係合することによりベースプレート２０及びスライドプレート３０の移動を規制する移動規制機構と、ベースプレート２０の開位置から閉位置への移動に伴いスライドプレート３０を第２の位置から第１の位置に向け移動付勢する移動付勢機構とを有し、かつ、装置本体２にカム部６０を一体的に設ける。【選択図】図４
2015211384.tif 000002
【特許請求の範囲】
【請求項１】
第１の筐体と、第２の筐体と、前記第１の筐体に対して前記第２の筐体を閉位置と開位置との間で相対的に開閉させる開閉装置とを有する電子装置であって、
前記開閉装置は、
前記第１の筐体に配設されたスタンドと、
該スタンドに回転可能に軸承されたベースプレートと、
前記第２の筐体に配設されると共に前記ベースプレートに移動可能に配設されており、前記ベースプレートと重なる第１の位置と、前記ベースプレートから突出する第２の位置との間で移動する移動プレートと、
前記移動プレートを前記ベースプレートに対して前記突出する方向に付勢する付勢手段と、
第１の部材と第２の部材とにより構成されており、前記ベースプレートが閉位置にある時に前記第１の部材と第２の部材が係合することにより、前記スタンドに対する前記ベースプレートの移動と、前記ベースプレートに対する前記移動プレートの移動を規制する移動規制機構と、
前記ベースプレートが開位置から閉位置に移動する時、当該移動に伴い前記移動プレートを前記第２の位置から前記第１の位置に向け移動付勢する移動付勢機構とを有し、
前記第１の筐体又は前記第２の筐体のいずれか一方に、前記第１の部材を一体的に設けたことを特徴とする電子装置。
【請求項２】
前記第１の部材はカム状部材であり、
前記第２の部材は前記カム状部材と係合するピン状部材であることを特徴とする請求項１記載の電子装置。
【請求項３】
前記第１の部材を前記第１の筐体に配設したことを特徴とする請求項２記載の電子装置。
【請求項４】
前記第２の部材を前記移動プレートに配設したことを特徴とする請求項２又は３記載の電子装置。
【請求項５】
第１の筐体と、第２の筐体と、前記第１の筐体に対して前記第２の筐体を閉位置と開位置との間で相対的に開閉させる開閉装置とを有する電子装置であって、
前記開閉装置は、
前記第１の筐体に配設されたスタンドと、
該スタンドに回転可能に軸承されたベースプレートと、
前記第２の筐体に配設されると共に前記ベースプレートに移動可能に配設されており、前記ベースプレートと重なる第１の位置と、前記ベースプレートから突出する第２の位置との間で移動する移動プレートと、
前記移動プレートを前記ベースプレートに対して前記突出する方向に付勢する付勢手段と、
第１の部材と第２の部材とにより構成されており、前記ベースプレートが閉位置にある時に前記第１の部材と第２の部材が係合することにより、前記スタンドに対する前記ベースプレートの移動と、前記ベースプレートに対する前記移動プレートの移動を規制する移動規制機構と、
前記ベースプレートが開位置から閉位置に移動する時、当該移動に伴い前記移動プレートを前記第２の位置から前記第１の位置に向け移動付勢する移動付勢機構とを有し、
前記第１の部材を前記第１の筐体に一体的に設けると共に、前記第２の部材を前記第２の筐体に一体的に設けたことを特徴とする電子装置。
【請求項６】
前記第１の部材又は前記第２の部材の内、一方はカム状部材であり、
前記第１の部材又は前記第２の部材の内、他方はピン状部材であることを特徴とする請求項５記載の電子装置。
【発明の詳細な説明】
【技術分野】
【０００１】
本発明は電子装置に係り、第１及び第２の筐体を開閉するのに用いる開閉装置を有する電子装置に関する。
【背景技術】
【０００２】
従来から、デジタルカメラ、ビデオカメラ、携帯電話機等の電子装置では、撮影した画面を確認するために液晶ディスプレイ等を装置本体に組み込んだ構成のものが知られている。また、種々の角度から液晶ディスプレイを見ることを可能とするため、表示部を装置本体に対して移動可能な構成とした電子装置も提供されている。
【０００３】
この種の電子装置は、通常時において表示部は装置本体の背面に収納され、この収納状態で表示部の液晶ディスプレイを視認できる構成となっている。また、撮影位置等の撮影条件によっては、表示部が収納状態では液晶ディスプレイを視認できない場合が生じる。このような場合には、表示部を装置本体から移動させ、これにより上記のような撮影条件であっても、表示部を視認できるよう構成されている。
【０００４】
ところで近年、デジタルカメラ等の電子装置で自分自身を撮影すること（いわゆる自分撮り）が行われるようになってきている。このような場合、表示部が装置本体の背面に収納された状態では、装置本体の前方に位置している撮影者は液晶ディスプレイを視認することができない。このため、撮影者が装置本体の前方に位置していても、液晶ディスプレイを視認できる位置まで表示部を移動できるように構成された電子装置が提供されている（特許文献１）。
【先行技術文献】
【特許文献】
【０００５】
【特許文献１】特開２００６−１３８９５９号公報
【発明の概要】
【発明が解決しようとする課題】
【０００６】
しかしながら、液晶ディスプレイが配設された表示部は比較的大きな厚さを有するため、表示部を装置本体に対して回転軸を中心に単に回転させる構成では、表示部及び装置本体の回転軸に近い側のコーナー部同士が回転に伴い当接してしまう。
【０００７】
本発明は上記の点に鑑みてなされたものであり、第１の筐体と第２の筐体を安定して開閉動作させうる電子装置を提供することを目的とする。
【課題を解決するための手段】
【０００８】
本発明の一側面によると、
第１の筐体と、第２の筐体と、前記第１の筐体に対して前記第２の筐体を閉位置と開位置との間で相対的に開閉させる開閉装置とを有する電子装置であって、
前記開閉装置は、
前記第１の筐体に配設されたスタンドと、
該スタンドに回転可能に軸承されたベースプレートと、
前記第２の筐体に配設されると共に前記ベースプレートに移動可能に配設されており、前記ベースプレートと重なる第１の位置と、前記ベースプレートから突出する第２の位置との間で移動する移動プレートと、
前記移動プレートを前記ベースプレートに対して前記突出する方向に付勢する付勢手段と、
第１の部材と第２の部材とにより構成されており、前記ベースプレートが閉位置にある時に前記第１の部材と第２の部材が係合することにより、前記スタンドに対する前記ベースプレートの移動と、前記ベースプレートに対する前記移動プレートの移動を規制する移動規制機構と、
前記ベースプレートが開位置から閉位置に移動する時、当該移動に伴い前記移動プレートを前記第２の位置から前記第１の位置に向け移動付勢する移動付勢機構とを有し、
前記第１の筐体又は前記第２の筐体のいずれか一方に、前記第１の部材を一体的に設けた構成とする。
【発明の効果】
【０００９】
本発明の一側面によると、開閉装置が搭載される電子装置の開閉処理を安定して行わせることができる。
【図面の簡単な説明】
【００１０】
【図１】図１は、本発明の一実施形態である電子装置の分解斜視図である。
【図２】図２は、本発明の一実施形態である電子装置の閉状態を示す斜視図である。
【図３】図３は、本発明の一実施形態である電子装置に設けられる開閉装置の動作を説明するための側面である。
【図４】図４は、本発明の一実施形態である電子装置の動作を説明するための側面である。
【図５】図５は本発明の一実施形態である開閉装置の閉状態におけるカム部の近傍を拡大しており、図５（Ａ）は係合ピンとカム部が係合した状態を示す斜視図、図５（Ｂ）は係合ピンとカム部の係合が解除された状態を示す斜視図である。
【図６】図６は、変形例である電子装置を示す斜視図である。
【発明を実施するための形態】
【００１１】
次に、添付の図面を参照しながら、本発明の限定的でない例示の実施形態について説明する。
【００１２】
なお、添付の全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１３】
また、以下説明する実施形態は、発明を限定するものではなく例示であって、実施形態に記述される全ての特徴やその組み合わせは、必ずしも発明の本質的なものであるとは限らない。
【００１４】
図１及び図２は、本発明の一実施形態である電子装置１を説明するための図である。図１は電子装置１の分解斜視図であり、図２は表示部３を取り外した状態の電子装置１の斜視図である。なお本実施形態では、電子装置１としてデジタルカメラを例に挙げて説明するものとする。しかしながら、本発明の適用はデジタルカメラに限定されるものではなく、ビデオカメラ、携帯電話機等の装置本体２に対して可動部（例えば表示部３）を有する電子装置に広く適用できるものである。
【００１５】
電子装置１は、装置本体２、表示部３、及び装置本体２に対して表示部３を開閉可能（回転可能）に支持する開閉装置１０を有している。
【００１６】
装置本体２は樹脂成型されており、その背面側にスイッチ６等を有すると共に、表示部３が取り付けられている。また装置本体２の正面側には、撮影を行うための撮像レンズ等（図示せず）が設けられている。更に装置本体２の内部には、撮像処理を行うための各種電子部品が配設されている。
【００１７】
表示部３は樹脂成型されており、液晶ディスプレイ５が一体的に組み込まれた構成とされている。撮像レンズを介して取り込まれた画像は、表示部３に設けられた液晶ディスプレイ５に表示される。よって撮影者は、この液晶ディスプレイ５により撮影しようとする画面を確認することができる。
【００１８】
この表示部３は、一般的な撮影を行う時は、装置本体２の表示部収納部４内に収納されている。なお以下の説明において、表示部３が表示部収納部４内に収納された状態を閉状態というものとする。
【００１９】
ところで近年では、電子装置で自分自身を撮影すること（いわゆる、自分撮り）が行われるようになってきており、電子装置１はこれに対応した構成となっている。具体的には、表示部３は開閉装置１０により装置本体２に対して図中Ａ１，Ａ２方向に移動（回転）可能な構成とされている。
【００２０】
図４（Ｆ）は、装置本体２に対して表示部３を開いた状態を示している。なお、以下の説明において表示部３を開いた状態を開状態というものとする。
【００２１】
この開状態では、装置本体２に設けられた撮像レンズ及び液晶ディスプレイ５はいずれも正面側に位置した状態となっている。よって、いわゆる自分撮りを行う場合、撮影者は自己を液晶ディスプレイ５で確認しながら撮影を行うことが可能となる。
【００２２】
次に、電子装置１に設けられた開閉装置１０の構成について説明する。
【００２３】
開閉装置１０は、スタンド１１Ｌ，１１Ｒ、ベースプレート２０、スライドプレート３０、スプリング４０、ヒンジ機構５０Ｌ，５０Ｒ、カム部６０、及び係合ピン７０等を有している。
【００２４】
なお説明に用いる各図において、左右方向（図中Ｘ１，Ｘ２方向）に対称に配置される構成要素については、右側（Ｘ１方向側）に位置するものには符号に「Ｒ」を添記し、左側（Ｘ２方向側）に位置するものには符号に「Ｌ」を添記して示すものとする。
【００２５】
スタンド１１Ｌ，１１Ｒは金属板材をプレス成型したものであり、固定部１２Ｌ，１２Ｒと立設部１３Ｌ，１３Ｒが一体的に形成された構成とされている。固定部１２Ｌ，１２Ｒは、装置本体２に固定される。また、立設部１３Ｌ，１３Ｒは、端部に後述するヒンジピン５１Ｌ，５１Ｒが装着される軸孔１４Ｌ，１４Ｒが形成されている。
【００２６】
ベースプレート２０は金属板材をプレス成型したものであり、ベース本体部２１、ガイドレール部２２Ｌ，２２Ｒ、アーム部２３Ｌ，２３Ｒ等を一体的に形成した構成とされている。ベース本体部２１は略長方形状を有しており、その短辺側の両側縁にはガイドレール部２２Ｌ，２２Ｒが形成されている。
【００２７】
また、ベース本体部２１の両側でＹ２方向側の端部には、アーム部２３Ｌ，２３Ｒが形成されている。このアーム部２３Ｌ，２３Ｒは、側面視でＬ字形状を有し、一端部がベース本体部２１に一体的に接続され、他端部にヒンジピン５１Ｌ，５１Ｒが挿通される軸孔２４Ｌ，２４Ｒが形成されている。
【００２８】
また、ベース本体部２１の略中央位置には、スプリング４０が配設される。スプリング４０は、ベースプレート２０とスライドプレート３０との間で弾性力を付勢できるものであれば特に種類は限定されないが、本実施形態ではトーションスプリングを用いている。
【００２９】
このスプリング４０の一方のアーム部４１は、スプリングピン２５によりベース本体部２１に固定されている。また、スプリング４０の他方のアーム部４２は、スプリングピン３６がピン固定孔３７に固定されることによりスライドプレート３０に固定される。よって、スプリング４０はベースプレート２０とスライドプレート３０との間に配設された構成となる。
【００３０】
スライドプレート３０は金属板材をプレス成型したものであり、スライド本体部３１、開口部３２、ガイド取り付け部３４Ｌ，３４Ｒ、ピン取り付け部３５、及び当接部３８等を有している。
【００３１】
このスライドプレート３０は、電子装置１の表示部３に固定される。従って、表示部３はスライドプレート３０と一体的に移動する。
【００３２】
スライド本体部３１は略長方形状を有しており、その略中央部分には開口部３２が形成されている。この開口部３２の形成位置は、スプリング４０の配設位置に対応している。また、開口部３２の図中矢印Ｂ２で示す方向側の端部には、スライドプレート３０のストッパーとして機能する当接部３８が形成されている。
【００３３】
スライド本体部３１の両側縁には、ガイド取り付け部３４Ｌ，３４Ｒが一体的に形成されている。このガイド取り付け部３４Ｌ，３４Ｒは、スライド本体部３１の両側縁部を略コの字形状に折り曲げ形成したものである。このガイド取り付け部３４Ｌ，３４Ｒには、スライドガイド３３Ｌ，３３Ｒが装着される。
【００３４】
スライドガイド３３Ｌ，３３Ｒは、耐久性が高く、かつ滑り性の良好な樹脂によりなる樹脂成形品である。また、スライドガイド３３Ｌ，３３Ｒの各内側位置には、図１におけるＹ１，Ｙ２方向に延在する溝部が形成されている。このスライドガイド３３Ｌ，３３Ｒは、ガイド取り付け部３４Ｌ，３４Ｒに取り付けられる。
【００３５】
なお、この取り付け方法は特に限定されるものではなく、係止部を設けて係止しても、接着剤を用いて固定しても、更にはスライドプレート３０のプレス加工時に一体的に設ける構成としてもよい。
【００３６】
また、スライド本体部３１の一方の短辺（図中、矢印Ｘ２方向側の短辺）には、ピン取り付け部３５が一体的に形成されている。ピン取り付け部３５は、スライド本体部３１の短辺側の一端部から下方に延出形成されている。
【００３７】
このピン取り付け部３５には、係合ピン７０が固定される。よって係合ピン７０は、スライドプレート３０（表示部３）の移動に伴い一体的に移動する。この係合ピン７０は、ピン取り付け部３５から外側に向けて（矢印Ｘ２方向に向けて）突出するよう構成されている。
【００３８】
ヒンジ機構５０Ｌ，５０Ｒは、スタンド１１Ｌ，１１Ｒとベースプレート２０を回転可能に接続させるものである。このヒンジ機構５０Ｌ，５０Ｒは、ヒンジピン５１Ｌ，５１Ｒ、スペーサ５２Ｌ，５２Ｒ、及びクリックプレート５３Ｌ，５３Ｒ等により構成されている。
【００３９】
次に、カム部６０について説明する。
【００４０】
本実施形態では、カム部６０は装置本体２に一体的に形成されている。カム部６０の装置本体２上における形成位置は、表示部３及びスライドプレート３０の移動に伴い移動する係合ピン７０の移動軌跡上に設定されている。具体的には、カム部６０は表示部収納部４の図中矢印Ｘ２方向の一側縁部に形成されている（図１参照）。
【００４１】
このカム部６０は、略三角形状を有したカム本体部６１に係合凹部６２及び傾斜面６３が形成された構成とされている。
【００４２】
係合凹部６２は係合ピン７０が係合する部位であり、カム本体部６１の一頂角に形成されている。この係合凹部６２は、装置本体２の表示部収納部４に形成された窪み部４ａの底部に位置するよう構成されている。
【００４３】
窪み部４ａの深さは、表示部３の内側面と係合ピン７０との離間距離Ｓ（図３（Ａ）に矢印で示す）に基づき設定されている。即ち、表示部３が閉位置にある時、係合ピン７０と係合凹部６２とが係合するよう離間距離Ｓは設定されている。
【００４４】
また係合凹部６２は、カム本体部６１のヒンジ機構５０Ｌ，５０Ｒに近い側（図中、矢印Ｙ２方向側）の端部に形成されている。
【００４５】
傾斜面６３は、カム本体部６１の上面に形成された傾斜面である。この傾斜面６３は、図中矢印Ｙ２方向に向けてカム本体部６１の矢印Ｚ１，Ｚ２方向の高さが、漸次低くなるような傾斜面とされている。
【００４６】
次に、電子装置１の組み立て方法について説明する。
【００４７】
電子装置１を組み立てるには、まず開閉装置１０を組み立てる。開閉装置１０を組み立てるには、スタンド１１Ｌ，１１Ｒとベースプレート２０とを接続する。
【００４８】
スタンド１１Ｌ，１１Ｒとベースプレート２０の接続は、前記のようにヒンジ機構５０Ｌ，５０Ｒを用いて行う。ヒンジ機構５０Ｌ，５０Ｒを用いてスタンド１１Ｌ，１１Ｒとベースプレート２０を接続するには、まずアーム部２３Ｌ，２３Ｒとスタンド１１Ｌ，１１Ｒとの間にスペーサ５２Ｌ，５２Ｒを挟み込む。そして、この状態においてスタンド１１Ｌ，１１Ｒの軸孔１４Ｌ，１４Ｒと、アーム部２３Ｌ，２３Ｒの軸孔２４Ｌ，２４Ｒとの軸合わせ（位置決め）を行う。
【００４９】
この位置決めが終了すると、軸孔２４Ｌ，２４Ｒ、スペーサ５２Ｌ，５２Ｒ、及び軸孔１４Ｌ，１４Ｒに対し、内側から外側に向けてヒンジピン５１Ｌ，５１Ｒを挿通させる。そして、ヒンジピン５１Ｌ，５１Ｒの軸孔１４Ｌ，１４Ｒから外側に突出した先端部に、クリックプレート５３Ｌ，５３Ｒを固定する。
【００５０】
これにより、ベースプレート２０は、ヒンジ機構５０Ｌ，５０Ｒによりスタンド１１Ｌ，１１Ｒに対して回転可能に軸承させた構成となる。また、ヒンジ機構５０Ｌ，５０Ｒは、いわゆるフリーストップのヒンジであり、スタンド１１Ｌ，１１Ｒに対してベースプレート２０を任意の回転角度で保持することができる。
【００５１】
なお、ヒンジ機構５０Ｌ，５０Ｒは必ずしもフリーストップのヒンジとする必要はなく、例えばスタンド１１Ｌ，１１Ｒに溝等を形成することにより、開位置と閉位置、また開位置から閉位置との間の所定角度においてクリック感を発生させる構成としてもよい。
【００５２】
次に、スライドプレート３０の作製を行う。なお、このスライドプレート３０の作製は、上記したベースプレート２０をスタンド１１Ｌ，１１Ｒに配設する処理と並行して行ってもよい。
【００５３】
スライドプレート３０を作製するには、スライドガイド３３Ｌ，３３Ｒをガイド取り付け部３４Ｌ，３４Ｒに取り付ける。続いて、スプリング４０を開口部３２内に位置させ、スプリングピン３６を用いてスプリング４０の一方のアーム部４２をスライドプレート３０に固定する。スライドプレート３０にはピン固定孔３７が形成されており、スプリングピン３６をピン固定孔３７に嵌入することにより、スプリング４０のアーム部４２はスライドプレート３０に固定される。
【００５４】
上記のようにスライドプレート３０が作製されると、続いてスライドガイド３３Ｌ，３３Ｒに対しガイドレール部２２Ｌ，２２Ｒを挿入する。ガイドレール部２２Ｌ，２２Ｒとスライドガイド３３Ｌ，３３Ｒは、スライド可能な構成とされている。よって、スライドプレート３０はベースプレート２０に対してスライド可能な構成となる。
【００５５】
また、スライドプレート３０をベースプレート２０に配設する際、スプリングピン２５を用いてスプリング４０の他方のアーム部４１をベースプレート２０に固定する。これにより、スプリング４０はベースプレート２０とスライドプレート３０との間に配設され、両者２０，３０間で弾性力を付勢する。
【００５６】
スプリング４０は、スライドプレート３０をベースプレート２０に対して外側（矢印Ｂ１方向）に向け弾性力を付勢する。このスプリング４０の弾性力により、スライドプレート３０はベースプレート２０に対してＢ１方向にスライドしようとする。
【００５７】
しかしながら、スライドプレート３０に形成された当接部３８が、ベースプレート２０に固定されたスプリングピン２５と当接することにより、スライドプレート３０のそれ以上のスライドが規制される構成となっている。
【００５８】
以上のように開閉装置１０が組み立てられると、開閉装置１０に装置本体２及び表示部３を組み付ける。即ち、スタンド１１Ｌ，１１Ｒの固定部１２Ｌ，１２Ｒを装置本体２に固定すると共に、ベースプレート２０に表示部３を固定する。これにより、電子装置１の組み立てが完了する。
【００５９】
ここで本実施形態では、カム部６０が装置本体２に一体的に形成されている。装置本体２は樹脂成型品であるため、カム部６０は装置本体２の樹脂成型時に一括的に形成することができる。よって本実施形態によれば、カム部６０を装置本体２と別部品とする構成に比べ、部品点数の削減、組み立て工数の低減、及び低コスト化を図ることができる。
【００６０】
なお、上記した組み立て方法では、スタンド１１Ｌ，１１Ｒにベースプレート２０を取り付けた後に、ベースプレート２０に対してスライドプレート３０を取り付ける方法を示した。しかしながら、スライドプレート３０をベースプレート２０に取り付けた後に、このベースプレート２０をスタンド１１Ｌ，１１Ｒに取り付けることも可能である。
【００６１】
次に、上記構成とされた電子装置１及び開閉装置１０の動作について、図３〜図５を用いて説明する。
【００６２】
図３は開閉装置１０の動作を示す側面図であり、図４は開閉装置１０が配設された電子装置１の動作を示す側面図であり、図６はカム部６０の近傍を拡大して示す斜視図である。
【００６３】
なお、図３~図５ではカム部６０の形状を見やすくするため、装置本体２の形状を図１及び図２に示した形状と一部異ならせて図示しているが、実質的には同一のものである。
【００６４】
図３（Ａ）、図４（Ａ）、及び図５（Ａ）は、表示部３及びベースプレート２０が閉じられた閉状態を示している。この時、表示部３は装置本体２の表示部収納部４に収納された状態となっている。
【００６５】
また閉状態では、スライドプレート３０はスプリング４０の弾性力に抗して図中矢印Ｂ２方向にスライドしている。ベースプレート２０とスライドプレート３０の外形は、平面視（上から見た状態）で略等しい形状とされている。
【００６６】
よって、閉状態でスライドプレート３０がＢ２方向にスライドすることにより、スライドプレート３０はベースプレート２０と重なった状態となる。なお、以下の説明において、閉状態におけるスライドプレート３０の位置を第１の位置というものとする。
【００６７】
また閉状態では、カム部６０に形成された係合凹部６２は、図５（Ａ）に拡大して示すように、ピン取り付け部３５に形成された係合ピン７０と係合するよう構成されている。
よって、スプリング４０の弾性力によりスライドプレート３０がＢ１方向に付勢されていても、係合ピン７０がカム部６０に当接することにより、スライドプレート３０のＢ１方向への移動は規制されている。なお、係合凹部６２（カム部６０）及び係合ピン７０は、請求項に記載の移動規制機構を構成する。
【００６８】
係合凹部６２は、円柱状の係合ピン７０の形状に対応して断面半円形状の凹部とされている。よって係合状態において、係合凹部６２と係合ピン７０とは確実に係合する。また、スプリング４０の弾性力により、係合ピン７０はカム部６０の係合凹部６２に押圧される。このため、閉状態において外部から衝撃等が印加されても、カム部６０と係合ピン７０とが離脱するようなことはない。このため、衝撃が印加されても表示部３が装置本体２から動くことはなく、電子装置１の信頼性を向上させることができる。
【００６９】
電子装置及び開閉装置１０を上記した閉状態から開状態とするには、表示部３をスタンド１１Ｌ，１１Ｒに対してＡ１方向に回転させる。図３（Ｂ）及び図５（Ｂ）は、カム部６０が係合ピン７０から離脱した直後の状態を示している。
【００７０】
この離脱時に係合凹部６２が係合ピン７０を乗り越える際、スライドプレート３０はベースプレート２０に対して若干量（係合凹部６２の窪み量分）だけ図中矢印Ｂ２方向に移動する。しかしながら、ベースプレート２０とスライドガイド３３Ｌ，３３Ｒとの間には、この移動量に対応したクリアランスが予め設けられており、これにより上記のスライドプレート３０の移動は許容される。
【００７１】
図３（Ｃ）及び図４（Ｂ）は、表示部３を更にＡ１方向に回転させることにより、係合ピン７０が係合凹部６２から完全に離脱した状態を示している。係合ピン７０が係合凹部６２から離脱することにより、スライドプレート３０の図中矢印Ｂ１方向に対する移動規制は解除される。
【００７２】
このように係合凹部６２と係合ピン７０との係合が解除されることにより、表示部３及びスライドプレート３０はベースプレート２０に対して一体的にＢ１方向にスライドする。この際、図３（Ｃ）及び図４（Ｂ）に示すように、係合ピン７０は相対的にカム部６０の傾斜面６３上を移動する。
【００７３】
そして、図３（Ｄ）及び図４（Ｃ）に示すように係合ピン７０がカム部６０から完全に離脱した状態になると、スライドプレート３０の開口部３２の一部を構成する当接部３８（図１，図２参照）がスプリングピン２５と当接し、これによりベースプレート２０に対するスライドプレート３０のＢ１方向のスライドが規制される。以下、このスライドプレート３０のＢ１方向への移動限界位置を第２の位置というものとする。
【００７４】
スライドプレート３０が第２の位置にスライドした状態では、スライドプレート３０はベースプレート２０に対して図３（Ｄ）に矢印Ｌで示す長さだけ突出した状態となっている。また、スライドプレート３０には表示部３が取り付けられているため、スライドプレート３０のスライドに伴い表示部３もＢ１方向に距離Ｌだけスライドする。
【００７５】
図４（Ｄ）は、カム部６０が係合ピン７０から完全に離脱した状態の電子装置１を示している。同図において装置本体２のコーナー部Ｐ１及び表示部３のコーナー部Ｐ２に注目すると、上記のように表示部３がスライドプレート３０と共にベースプレート２０に対してスライドすることにより、コーナー部Ｐ２も閉状態の位置に比べて距離ＬだけＢ１方向に移動している。即ち、スライドプレート３０がベースプレート２０に対してスライドすることにより、装置本体２のコーナー部Ｐ１と表示部３のコーナー部Ｐ２との離間距離Ｌは閉状態に比べて大きくなっている。
【００７６】
この状態から更に表示部３をＡ１方向に回転させると、ベースプレート２０はヒンジピン５１Ｌ，５１Ｒを中心としてスタンド１１Ｌ，１１Ｒに対して回転し、これに伴い表示部３も装置本体２に対して回転する。図４（Ｅ）は、閉位置に対してベースプレート２０が約135°回転した状態を示している。
【００７７】
スライドプレート３０がベースプレート２０に対して図中矢印Ｂ１方向にスライドし第２の位置に移動した後は、スライドプレート３０は第２の位置を維持した状態で回転する。従って、装置本体２のコーナー部Ｐ１と表示部３のコーナー部Ｐ２も、離間した状態を維持して回転を行う。
【００７８】
このため、表示部３が装置本体２に対して回転しても、コーナー部Ｐ２がコーナー部Ｐ１と当接するようなことはない。よって、装置本体２に対する表示部３の開き動作を円滑に行うことができる。
【００７９】
図４（Ｆ）は、開状態における電子装置１を示している。この開状態において、表示部３に設けられた液晶ディスプレイ５は正面側（図中、Ｚ２方向側が正面側となる）に向いた状態となっており、よっていわゆる自分撮りを行うことができる。なお、以下の説明において、開状態における表示部３（ベースプレート２０）の位置を開位置というものとする。
【００８０】
次に、表示部３を開位置から閉位置に向け回転させる時の動作について説明する。
【００８１】
なお、表示部３を開位置から閉位置に向け回転する時の動作は、上記した表示部３を閉位置から開位置に向け移動させる動作の逆の動作になる。このため、ベースプレート２０の開位置から閉位置に向かう動作の説明は、閉位置から開位置に向けた動作説明に使用した図４及び図５を利用して説明するものとする。
【００８２】
図４（Ｆ）に示す開状態から、表示部３を閉位置に移動するには、表示部３を図中矢印Ａ２方向に移動させる。これに伴い、図４（Ｅ），（Ｄ）に示すように表示部３（ベースプレート２０）は閉位置に向かい回転する。この際、スライドプレート３０は第２の位置（矢印Ｂ１方向にスライドした位置）を維持しており、よって各コーナー部Ｐ１，Ｐ２は離間距離が大きい状態を維持している。このため、開位置から閉位置に向け表示部３が移動する際も、各コーナー部Ｐ１，Ｐ２が当接するようなことはない。
【００８３】
表示部３及びベースプレート２０が所定量だけ回転すると、スライドプレート３０に固定されている係合ピン７０は装置本体２に形成されているカム部６０と係合する。図３（Ｃ）及び図４（Ｂ）は、係合ピン７０がカム部６０と係合した直後の状態を示している。
【００８４】
図３（Ｃ）及び図４（Ｂ）に示され状態から、更に表示部３を図中矢印Ａ２方向に移動させると、傾斜面６３に案内されて係合ピン７０は傾斜面６３上を相対的に移動する。このように、係合ピン７０が傾斜面６３上を相対的に移動することにより、係合ピン７０は図中矢印Ｂ２方向に向けて移動付勢される。
【００８５】
よってこの時、傾斜面６３は係合ピン７０を付勢するカムとして機能し、カム部６０は表示部３（スライドプレート３０）を第２の位置から第１の位置に向けて移動付勢する。即ち、係合ピン７０とカム部６０（傾斜面６３）は、表示部３を第２の位置から第１の位置に向けて移動付勢する移動付勢機構を構成する。
【００８６】
更に表示部３を図中矢印Ａ２方向に移動させると、係合ピン７０は傾斜面６３に案内されつつ窪み部４ａ内に進入し、そして係合ピン７０は係合凹部６２と係合する。この状態において、ベースプレート２０は閉位置に回転しており、スライドプレート３０は第１の位置にスライドしており、更に表示部３は装置本体２の表示部収納部４に収納された状態となっている。即ち、係合ピン７０と係合凹部６２とが係合することにより，図１、図３（Ａ）、図４（Ａ）、及び図５（Ａ）に示すように電子装置１及び開閉装置１０は閉状態となる。
【００８７】
上記のように、本実施形態に係る電子装置１及び開閉装置１０では、表示部３を閉位置から開位置に向け移動させる時は、表示部３を図中矢印Ａ１方向に移動させ係合凹部６２と係合ピン７０との係合を解除させる。これにより、スライドプレート３０は自動的に第１の位置から第２の位置にスライドし、これに伴い表示部３は各コーナー部Ｐ１，Ｐ２が当接しない位置に移動する。
【００８８】
また、表示部３を開位置から閉位置に向け移動させる時は、係合ピン７０が傾斜面６３（カム部６０）上を相対的に移動することにより、スライドプレート３０は第２の位置から第１の位置に自動的にスライドし、これに伴い表示部３も閉位置に移動する。
【００８９】
よって、単に表示部３を開位置と閉位置との間で移動させるだけで、表示部３及びスライドプレート３０を自動的に第１の位置と第２の位置との間でスライドさせることができる。これにより１アクションで開閉操作を行うことが可能となり、操作性の向上を図ることができる。
【００９０】
また、スライドプレート３０が第２の位置に移動した後は、装置本体２と表示部３は各コーナー部Ｐ１，Ｐ２が離間した状態を維持して回転するため、装置本体２と表示部３とが当接（衝突）することを防止することができる。
【００９１】
また、係合ピン７０に対して形状の大きいカム部６０が装置本体２に設けられているため、開閉を行う表示部３をコンパクト化することができると共に、表示部３の意匠性を向上させることができる。更に本実施形態では、表示部収納部４に窪み部４ａを形成し、カム部６０の一部がこの窪み部４ａの内部に位置するよう構成しているため、装置本体２の薄型化及び意匠性の向上を図ることができる。
【００９２】
次に、本実施形態の変形例について説明する。
【００９３】
図６は、上記した実施形態に係る電子装置１の変形例である電子装置１Ａを示している。なお図６において、前記した実施形態の説明に用いた図１〜図６に示した構成と対応する構成については同一符号を付し、その説明は省略するものとする。
【００９４】
上記した実施形態に係る電子装置１は、ベースプレート２０の側縁に形成したピン取り付け部３５に係合ピン７０を設けた構成としていた。即ち、係合ピン７０は、ベースプレート２０の側部に設けられた構成とされていた。また、カム部６０も係合ピン７０の配設位置に対応して表示部収納部４の一側縁部に設けた構成とした。
【００９５】
これに対して本変形例は、係合ピン７０をスライドプレート３０の長辺の側縁の中央位置に設けたことを特徴としている。具体的には、略矩形状とされたスライドプレート３０の長辺の内、ヒンジ機構５０Ｌ，５０Ｒが設けられる長辺と異なる側の長辺の略中央に係合ピン７０を配設した構成とした。
【００９６】
本変形例のように、係合ピン７０の配設位置は表示部３の短辺側に限定されるものではなく、表示部３の長辺側に設けることも可能である。また、係合ピン７０の長辺上における配設位置は本変形例のように中央に限定されるものではなく、中央からずれた位置に設ける構成とてもよく、また複数個所に設ける構成としてもよい。
【００９７】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００９８】
例えば、上記した実施形態ではカム部６０を装置本体２に一体的に設けた構成とした。しかしながら、カム部６０を表示部３に一体的に設ける構成とすることも可能である。この構成とした場合、表示部３は樹脂成型されているため、カム部６０も表示部３の樹脂成型時に一括的に形成することができる。よって、部品点数の削減及び組み立て工数の低減を図ることができる。
【００９９】
また、カム部６０を表示部３に一体的に設ける構成とした場合、係合ピン７０は装置本体２に一体的に形成しても、またスタンド１１Ｌ，１１Ｒに配設する構成としてもよい。係合ピン７０を装置本体２に一体的に形成した場合には、係合ピン７０を樹脂成型品である装置本体２の成型時に一括的に形成することができ、部品点数の削減及び組み立て工数の低減を図ることができる。
【０１００】
またカム部６０に係合するのはピン形状を有した係合ピン７０に限定されるものではなく、カム部６０に係合できるものであれば、他のものを用いることも可能である。例えば、係合ピン７０に代えてカム部材を用い、これがカム部６０に係合するよう構成するよう構成してもよい。
【符号の説明】
【０１０１】
１  電子装置
２  装置本体
３  表示部
４  表示部収納部
５  液晶ディスプレイ
１０  開閉装置
１１Ｌ，１１Ｒ  スタンド
２０  ベースプレート
２１  ベース本体部
３０  スライドプレート
３１  スライド本体部
３５  ピン取り付け部
４０  スプリング
５０Ｌ，５０Ｒ  ヒンジ機構
５１Ｌ，５１Ｒ  ヒンジピン
６０  カム部
６１  カム本体部
６２  係合凹部
６３  傾斜面
７０  係合ピン
【図１】
2015211384.tif 000003
【図２】
2015211384.tif 000004
【図３】
2015211384.tif 000005
【図４】
2015211384.tif 000006
【図５】
2015211384.tif 000007
【図６】
2015211384.tif 000008